(57)【要約】【課題】スピーカ装置を小型化し、音質を改善する。【解決手段】バッフル板１２は、貫通穴を有する。スピーカユニット１３は、前記バッフル板１２の前記貫通穴に固定されている。背面板１４は、前記バッフル板１２の背後に所定の間隔を空けて配置されている。前記バッフル板１２は、板状材２１と、前記板状材２１の裏側の面から立設され、他方の端が開放されたハニカム構造を有するハニカム材２３とを有する。前記背面板１４は、板状材４１と、前記背面板１４の前記板状材４１の表側の面から立設され、他方の端が開放されたハニカム構造を有するハニカム材４２とを有する。前記バッフル板１２と前記背面板１４との間の隙間は、密閉されていない。【選択図】図３
2020036194.tif 000002
【特許請求の範囲】
【請求項１】
貫通穴を有するバッフル板と、
前記バッフル板の前記貫通穴に固定されたスピーカユニットと、
前記バッフル板の背後に所定の間隔を空けて配置された背面板と
を備え、
前記バッフル板は、
板状材と、
前記板状材の裏側の面から立設され、他方の端が開放されたハニカム構造を有するハニカム材と
を有し、
前記背面板は、
板状材と、
前記背面板の前記板状材の表側の面から立設され、他方の端が開放されたハニカム構造を有するハニカム材と
を有し、
前記バッフル板と前記背面板との間の隙間が密閉されていない、
スピーカ装置。
【請求項２】
前記バッフル板は、更に、
前記板状材の表側の面から立設され、他方の端が開放されたハニカム構造を有するハニカム材を有する、
請求項１のスピーカ装置。
【請求項３】
前記バッフル板と前記背面板との間の間隔が、２ｃｍ以上８ｃｍ以下である、
請求項１又は２のスピーカ装置。
【請求項４】
前記背面板は、更に、
前記板状材の裏側の面から立設され、他方の端が開放されたハニカム構造を有するハニカム材を有する、
請求項１乃至３いずれかのスピーカ装置。
【請求項５】
前記スピーカ装置は、前記背面板を複数有し、
複数の前記背面板は、所定の間隔を空けて配置され、
複数の前記背面板のうち、少なくとも、中間に位置する背面板は、更に、
前記板状材の裏側の面から立設され、他方の端が開放されたハニカム構造を有するハニカム材を有する、
請求項１乃至３いずれかのスピーカ装置。
【発明の詳細な説明】
【技術分野】
【０００１】
本発明は、スピーカ装置に関する。
【背景技術】
【０００２】
平面バッフル構造を有するスピーカ装置が知られている。これは、平面状のバッフル板に貫通穴を設け、そこにスピーカユニットを固定することにより、振動板の正面から放射される音に、振動板の背面から放射される音が干渉するのを防ぐものである。
また、振動板の背面が面する空間を密閉して、振動板の背面から放射される音を閉じ込める密閉型のスピーカ装置も知られている。
【発明の概要】
【発明が解決しようとする課題】
【０００３】
平面バッフル構造は、音の伸びが良いが、低音特性が悪い。バッフル板を大きくすれば、低音特性を改善できるが、スピーカ装置が大きくなってしまう。また、バッフル板が大きいと、バッフル板自体の振動が止みづらいので、バッフル板の振動によって発生する音が再生音に乗ってしまう。更に、このスピーカ装置を室内に配置する場合は、背後の壁面から十分に（例えば１ｍ以上）離さないと、振動板の背面から放射される音が壁面で反射して、振動板の正面から放射される音に干渉する。
密閉型のスピーカ装置は、密閉空間を十分に大きく取らないと、振動板の移動により、密閉空間内の気圧が変動し、振動板に反力が作用して、振動板の移動を妨げる。このため、密閉型のスピーカ装置を薄型化することは難しい。
本発明は、上記のような課題を解決するためになされたものである。
【課題を解決するための手段】
【０００４】
スピーカ装置は、貫通穴を有するバッフル板と、前記バッフル板の前記貫通穴に固定されたスピーカユニットと、前記バッフル板の背後に所定の間隔を空けて配置された背面板とを備える。前記バッフル板は、板状材と、前記板状材の裏側の面から立設され、他方の端が開放されたハニカム構造を有するハニカム材とを有する。前記背面板は、板状材と、前記背面板の前記板状材の表側の面から立設され、他方の端が開放されたハニカム構造を有するハニカム材とを有する。前記バッフル板と前記背面板との間の隙間は、密閉されていない。
前記バッフル板は、更に、前記板状材の表側の面から立設され、他方の端が開放されたハニカム構造を有するハニカム材を有してもよい。
前記バッフル板と前記背面板との間の間隔は、２ｃｍ以上８ｃｍ以下であってもよい。
前記背面板は、更に、前記板状材の裏側の面から立設され、他方の端が開放されたハニカム構造を有するハニカム材を有してもよい。
前記スピーカ装置は、前記背面板を複数有してもよい。
【発明の効果】
【０００５】
前記スピーカ装置によれば、振動板の背面から放射される音をバッフル板及び背面板のハニカム材が吸収するので、振動板の正面から放射される音に干渉しない。したがって、バッフル板を小さくすることができる。また、スピーカ装置を薄型化することができる。更に、スピーカ装置を壁面から離して配置する必要がない。そして、振動板の背面が面する空間を密閉する必要がないので、振動板の移動が妨げられず、音質が向上する。
【図面の簡単な説明】
【０００６】
【図１】スピーカ装置１０を示す正面図。
【図２】前記スピーカ装置１０を示す平面図。
【図３】前記スピーカ装置１０を示すＩＩＩ−ＩＩＩ断面図。
【図４】スピーカ装置１０Ａを示す断面図。
【図５】スピーカ装置１０Ｂを示す断面図。
【発明を実施するための形態】
【０００７】
図１及び２に示すように、スピーカ装置１０は、以下を備える。
＜スピーカユニット１３＞振動板３１と、電気信号を入力して前記振動板３１を振動させるドライバユニット３２とを有する。
＜バッフル板１２＞概ね平面板状であり、前記スピーカユニット１３を固定するための貫通穴を有する。
＜背面板１４＞概ね平面板状であり、前記バッフル板１２から所定の間隔（例えば３ｃｍ）を空けて、前記バッフル板１２の後側に、前記バッフル板１２に対して平行に配置されている。
＜保持部１５ａ〜１５ｄ＞前記バッフル板１２と前記背面板１４との間の間隔を一定に保つとともに、前記スピーカ装置１０を壁面などに固定する。例えば、スペーサ５１と、ねじ５２とを有する。前記スペーサ５１は、円筒状であり、そのなかを前記ねじ５２が貫通している。前記ねじ５２は、更に、前記バッフル板１２及び前記背面板１４を貫通し、先端が前記背面板１４の裏側に突出している。前記ねじ５２の突出した先端を前記壁面などに刺すことにより、前記スピーカ装置１０を固定する。
【０００８】
前記バッフル板１２は、以下を有する。
＜板状材２１＞平面板状である。
＜ハニカム材２２＞ハニカム構造を有する。例えば、小さな平板状の材料を組み合わせて構成され、前記平板状の材料によって囲まれた小さな六角柱状の貫通穴を多数有し、全体として所定の厚さ（例えば２ｃｍ）の平面板状をなす。前記ハニカム材２２は、前記板状材２１の表側の面から立設され、他方の端が解放されている。
＜ハニカム材２３＞前記ハニカム材２２と同様、ハニカム構造を有する。前記ハニカム材２３は、前記板状材２１の裏側の面から立設され、他方の端が解放されている。
【０００９】
すなわち、通常のハニカム板は、二枚の板状材の間に、ハニカム材を挟んだ構造を有するのに対し、前記バッフル板１２は、二枚のハニカム材２２，２３の間に、板状材を挟んだ構造を有する。なお、ハニカム構造の基本となる形状は、六角柱に限らず、三角柱、四角柱など他の角柱であってもよく、２種類以上の形状を組み合わせてもよい。
【００１０】
前記背面板１４は、以下を有する。
＜板状材４１＞平面板状である。
＜ハニカム材４２＞ハニカム構造を有する。例えば、小さな平板状の材料を組み合わせて構成され、前記平板状の材料によって囲まれた小さな六角柱状の貫通穴を多数有し、全体として所定の厚さ（例えば２ｃｍ）の平面板状をなす。前記ハニカム材４２は、前記板状材４１の表側の面から立設され、他方の端が解放されている。
【００１１】
すなわち、前記バッフル板１２は、両面にハニカム材を有するのに対し、前記背面板１４は、表側だけにハニカム材を有する。
【００１２】
前記振動板３１の背面から放射された音は、前記バッフル板１２と前記背面板１４との間を通り、前記ハニカム材２３，４２に吸収される。特に、低音が前記ハニカム材２３，４２によく吸収されることが実験により判明した。このため、前記振動板３１の背面から放射された音が、前記振動板３１の正面から放射された音に干渉せず、前記振動板３１の背面の空間を密閉する必要がない。したがって、振動板の移動が妨げられず、音質を良くすることができる。また、従来の密閉型スピーカ装置よりも、奥行きを薄くすることができる。
更に、平面バッフル型のスピーカ装置と異なり、前記背面板１４のすぐ後に壁面があっても、壁面の影響を受けない。このため、前記スピーカ装置１０を壁に掛けて使用することができる。
【００１３】
なお、前記バッフル板１２の表側のハニカム材２２は、なくてもよいが、あるほうが音質が良くなるので、好ましい。
前記バッフル板１２と前記背面板１４との間の間隔は、もっと短くてもよいし、長くてもよい。例えば、２ｃｍ以上８ｃｍ以下であってもよい。前記スピーカ装置１０の厚さを薄くするには前記間隔が小さいほうがよいが、前記間隔が小さすぎると、前記振動板３１の背面から放射された音が、前記バッフル板１２と前記背面板１４との間の隙間から抜けるのが妨げられるので、前記間隔は、最低でも２ｃｍはあったほうがよく、３ｃｍ以上４ｃｍ以下が最も好ましい。
前記ハニカム材２２，２３，４２の厚さは、同じであってもよいし、異なっていてもよい。
【００１４】
図４に示すスピーカ装置１０Ａは、前記スピーカ装置１０と同様であるが、前記背面板１４に代えて、背面板１４Ａを備える。前記背面板１４Ａは、前記バッフル板１２と同様、裏側にもハニカム材４３を有する。また、前記保持部１５ａ〜１５ｄは、更に、スペーサ５１Ａを有する。前記スピーカ装置１０Ａを壁面に取り付けたとき、前記背面板１４Ａは、前記スペーサ５１Ａにより、壁面から所定の間隔（例えば３ｃｍ）を空けて保持される。
前記ハニカム材４２が吸収した音の一部は、前記板状材４１を通過して、前記背面板１４Ａの裏側に到達する。前記背面板１４Ａの裏側に到達し、壁面で反射されて戻ってきた音は、今度は、前記ハニカム材４３によって吸収される。これにより、音質を更に改善することができる。
前記背面板１４Ａと前記壁面との間の間隔は、前記バッフル板１２と前記背面板１４Ａとの間の間隔と同じであってもよいし、異なっていてもよい。前記間隔は、前記スピーカ装置１０の場合と同様、２ｃｍ以上８ｃｍ以下であることが好ましく、３ｃｍ以上４ｃｍ以下であることが最も好ましい。
【００１５】
なお、前記背面板１４Ａと前記壁面との間の間隔は、もっと大きくてもよい。したがって、前記スピーカ装置１０Ａは、壁掛け式ではなく、床置き式や吊り下げ式など、背面を壁面から離して使用するよう構成してもよい。
【００１６】
図５に示すスピーカ装置１０Ｂは、前記スピーカ装置１０Ａと同様であるが、前記背面板１４Ａの後に、更に、背面板１４を備える。前記背面板１４は、前記スピーカ装置１０の前記背面板１４と同様、表側にハニカム材４２を有する。
前記背面板１４Ａの前記ハニカム材４２が吸収した音の一部は、前記背面板１４Ａの前記板状材４１を通過して、前記背面板１４Ａの裏側に到達する。前記背面板１４Ａの裏側に到達した音は、前記背面板１４の前記ハニカム材４２や、前記背面板１４Ａの前記ハニカム材４３に吸収される。これにより、音質を更に改善することができる。
【００１７】
なお、前記背面板１４Ａの数をもっと増やしてもよい。前記背面板１４Ａの数が増えれば増えるほど、音質が更に改善する。
【００１８】
また、前記スピーカ装置１０Ａと同様、前記背面板１４の裏側にもハニカム材を設けてもよい。その場合、壁面から所定の間隔を空けて保持されるよう構成してもよいし、床置き式や吊り下げ式など、背面を壁面から離して使用するように構成してもよい。特に、前記背面板１４Ａの数が多い場合は、前記スピーカ装置１０Ｂの厚さが大きくなるので、壁掛け式ではなく、背面を壁面から離して使用するように構成することが好ましい。
【００１９】
以上説明した実施形態は、本発明の理解を容易にするための一例である。本発明は、これに限定されるものではなく、添付の特許請求の範囲によって定義される範囲から逸脱することなく様々に修正し、変更し、追加し、又は除去したものを含む。これは、以上の説明から当業者に容易に理解することができる。
【符号の説明】
【００２０】
１０，１０Ａ，１０Ｂ  スピーカ装置、１２  バッフル板、１３  スピーカユニット、１４，１４Ａ  背面板、１５ａ〜１５ｄ  保持部、２１，４１  板状材、２２，２３，４２，４３  ハニカム材、３１  振動板、３２  ドライバユニット、５１，５１Ａ  スペーサ、５２  ねじ。
【図１】
2020036194.tif 000003
【図２】
2020036194.tif 000004
【図３】
2020036194.tif 000005
【図４】
2020036194.tif 000006
【図５】
2020036194.tif 000007